(57)【要約】【課題】カードスロットにメモリーカードが傾いた状態で装填されている場合でも閉まらないようにした装填蓋構造を有する電子機器を提供する。【解決手段】開閉自在に設けられているカード装填蓋１２にはカードスロット１４が取り付けられており、カードスロット１４にはメモリーカード１６が着脱自在に装填される。カードスロット１４にメモリーカード１６が適正位置まで装填されていない状態でカード装填蓋１２を閉じようとすると、メモリーカード１６が本体３の表面に引っかかり、閉じることができない。【選択図】        図２
2004199381.tif 000002
【特許請求の範囲】
【請求項１】
メモリーカードがカードスロットを通して一端側から所定量挿入されたときにメモリーカードを適正な装填位置に受容するカード受容手段と、前記カードスロットを開閉自在に覆う装填蓋とを備えた電子機器において、
前記装填蓋の開閉方向をメモリーカードの挿入方向と交差させ、メモリーカードの挿入量が前記所定量に満たない状態では、メモリーカードの他端側によって装填蓋の閉じ操作が禁止されることを特徴とする電子機器。
【請求項２】
前記装填蓋が、閉じ位置では機器本体の外壁の一部となるように回動自在に軸着されるとともに前記カード保持手段が装填蓋の内面に固定され、メモリーカードの挿入量が前記所定量に満たない状態では、装填蓋を閉じ位置に回動させたときにメモリーカードの他端側が機器本体に当接して装填蓋の閉じ方向への回動が禁止されることを特徴とする請求項１記載の電子機器。
【発明の詳細な説明】
【０００１】
【発明の属する技術分野】
本発明はカードスロットを覆う装填蓋を備えた電子機器に関するものであり、さらに詳しくは、カードスロットにメモリーカードが適正位置に装填されていないことによるメモリーカードのデータの破壊等の不具合を防止する装填蓋構造を有する電子機器に関するものである。
【０００２】
【従来の技術】
デジタルカメラなどの電子機器では、データの保存・読み出しを行うためにメモリーカードを用いる方法が一般的になっている。このメモリーカードは、カードスロットに着脱自在に装填され、カードスロットを介して電子機器本体とデータの授受を行っている。
【０００３】
このようにメモリーカードをカードスロットに装填する方法を用いる場合、カードスロットにメモリーカードが適正位置に装填されないと、メモリーカードとカードスロット内部に備えられているコネクターとの接触不良が生じてしまう。このような状態でデータ授受を行うと、メモリーカードに取り込まれているアクセス中のデータが破壊されたり、さらにはメモリーカードにすでに記録されているデータがすべて破壊されてしまうといった問題が生じることがある。
【０００４】
このような問題を防止するために、特許文献１では、カードスロットを開閉する蓋部の１箇所に突起を設け、カードスロットにメモリーカードが適正位置に装填されていないときには突起がメモリーカードのセンター部に突き当たることによって蓋部が閉まらないようにすることにより、メモリーカードが正常にカードスロットに装填されていないことをユーザーが認識するセーフティー機能を備えた電子機器が開示されている。
【０００５】
【特許文献１】
特開２００１−７５１５９号公報
【０００６】
【発明が解決しようとする課題】
しかしながら、特許文献１の電子機器では、突起がカードセンター部の一箇所にのみに接触するように構成されているため、メモリーカードがカードスロットに対して傾いた状態で装填された場合に蓋部が閉まってしまう可能性がある。この状態ではメモリーカードとコネクターとが接触不良を起こしており、しかもメモリーカードが正常にカードスロットに装填されていないことをユーザーが認識することができないので、メモリーカードと電子機器本体との間のデータ授受が行われてしまい、データ破壊などの不具合が発生してしまう恐れがある。
【０００７】
本発明は上記問題点を考慮してなされたものであり、カードスロットにメモリーカードが傾いた状態で装填されている場合でも閉まらないようにした装填蓋構造を有する電子機器を提供することを目的とする。
【０００８】
【課題を解決するための手段】
上記目的を達成するために、本発明の電子機器は、メモリーカードがカードスロットを通して一端側から所定量挿入されたときにメモリーカードを適正な装填位置に受容するカード受容手段と、前記カードスロットを開閉自在に覆う装填蓋とを備え、さらに前記装填蓋の開閉方向をメモリーカードの挿入方向と交差させ、メモリーカードの挿入量が前記所定量に満たない状態では、メモリーカードの他端側によって装填蓋の閉じ操作が禁止されることを特徴とする。
【０００９】
なお、前記装填蓋が閉じ位置では機器本体の外壁の一部となるように回動自在に軸着されるとともに前記カード保持手段が装填蓋の内面に固定され、メモリーカードの挿入量が前記所定量に満たない状態では、装填蓋を閉じ位置に回動させたときにメモリーカードの他端側が機器本体に当接して装填蓋の閉じ方向への回動が禁止されることが好ましい。
【００１０】
【発明の実施の形態】
図１は、本発明を適用したデジタルカメラの外観を示す斜視図である。デジタルカメラ２の本体３の前面には、撮影レンズ６とレンズバリア７とが組み込まれたレンズ鏡筒５、ファインダ１０、ストロボ発光部４が設けられている。本体３の一方の側面はグリップ８となっており、使用者が本体３を把持しやすくなっている。グリップ８の上面には、レリーズボタン９が設けられている。なお、本体３の背面側には、図示しない電源スイッチや画像表示用のＬＣＤパネルなどが設けられている。
【００１１】
グリップ８の側面には、カード装填蓋１２が開閉自在に設けられている。カード装填蓋１２にはカードスロット１４が取り付けられており、カードスロット１４にはメモリーカード１６が着脱自在に装填される。メモリーカード１６には接触板１７が設けられており、カードスロット１４内の金属接片１５（図２参照）と接触することにより本体３とのデータ授受が行われる。カード装填蓋１２は閉じたときにロックされるように構成されており、グリップ８の前面に設けられたロック解除レバー１８の押し下げ動作によってロックの解除が行われる。
【００１２】
図２は、カードスロットにメモリーカードが適正位置に装填されている状態を示す説明図である。ここで適正位置とは、メモリーカード１６に備えられている接触板１７とカードスロット１４内に設けられている金属接片１５とが確実に接触する位置のことである。カード装填蓋１２に取り付けられているカードスロット１４にはフレキシブル基板２０が接続されており、このフレキシブル基板２０はデジタルカメラ２内部のアクセス用回路に接続されている。カードスロット１４にメモリーカード１６が適正位置に装填されると、カード装填蓋１２を閉じることができる。
【００１３】
カード装填蓋１２を閉じると、カード装填蓋１２に備えられた係止爪２４が開口２２を通して本体３内部に備えられた係止片２６と噛合することにより、カード装填蓋１２はロック状態となる。係止片２６が係止爪２４に向けてバネ付勢されることによりロック状態が継続されるので、不意にカード装填蓋１２が開いてしまうような事故を防止することができる。カード装填蓋１２を開ける際には、本体３の表面に備えられているロック解除レバー１８を押し下げれば係止片２６が係止爪２４から離れるのでロック状態が解除され、カード装填蓋１２を開けることができるようになる。
【００１４】
本体３の内部にはさらに、カード装填蓋１２が閉じていることを検出するためのマイクロスイッチ２８が設けられている。カード装填蓋１２が閉じると、係止爪２４は係止片２６によってロックされるのと同時にマイクロスイッチ２８の突起部２８ａを押圧する。突起部２８が押圧されると、マイクロスイッチ２８がＯＮされ、ＣＰＵ３０（図４参照）に信号を発する。
【００１５】
図３は、カードスロットにメモリーカードが適正位置まで装填されていない状態を示す説明図である。この状態では、メモリーカード１６に備えられている接触板１７とカードスロット１４内に設けられている金属接片１５との接触が確実でなく、不安定になっている。この状態でカード装填蓋１２を閉じようとすると、メモリーカード１６が本体３の表面に引っかかり、閉じることができない。このように、カード装填蓋１２が閉じないため、ユーザーはメモリーカード１６がカードスロット１４に適切に装填されていないことを認識することができる。また、メモリーカード１６のどこか一点でも本体３の表面に引っかかるとカード装填蓋１２を閉じることができないため、メモリーカード１６がカードスロット１４に斜めに装填された場合でもカード装填蓋１２が閉じることはない。
【００１６】
さらに、カード装填蓋を閉じることができないと、係止爪２４はマイクロスイッチ２８の突起部２８を押圧せず、マイクロスイッチ２８がＯＮしないため、ＣＰＵ３０には信号が送られない。
【００１７】
図４は、本発明を実施したデジタルカメラの内部構成を示すブロック図である。撮像部３４は、ＣＣＤイメージセンサやＡ／Ｄコンバータなどからなり、被写体画像を撮像するために必要な部材を中心に構成されている。撮像部３４で生成された画像データは、順次画像データ処理回路３６に入力される。画像データ処理回路３６で、入力された画像データに対して各種補正処理を行った後、ＣＰＵ３０に画像データが入力される。
【００１８】
ＣＰＵ３０からの指示により、アクセス用回路３８ではカードスロット１４を介してメモリーカード１６へのデータの書き込み及びメモリーカード１６からのデータの読み出しなどの信号処理が行われる。ＣＰＵ３０にはさらにマイクロスイッチ２８と電源３２が接続されており、ＣＰＵ３０はマイクロスイッチ２８からの信号が入力されているときに電源３２をＯＮするようにし、マイクロスイッチ２８からの信号が入力されていないときには電源３２をＯＮしないように構成されている。
【００１９】
上記構成の作用について説明する。ユーザーがメモリーカード１６をカードスロット１４に適正位置に装填し、カード装填蓋１２を閉じると、マイクロスイッチ２８がＯＮされ、ＣＰＵ３０に信号を発する。ＣＰＵ３０はマイクロスイッチ２８からの信号を受信すると、電源３２をＯＮしてもよいと判断する。ここでユーザーが電源スイッチを操作すれば、電源３２がＯＮされる。
【００２０】
一方、メモリーカード１６がカードスロット１４に適正位置に装填されていない場合には、カード装填蓋１２を閉じることができず、マイクロスイッチ２８がＯＮされない。ＣＰＵ３０はマイクロスイッチ２８からの信号を受信しないため、電源３２をＯＮしてはならないと判断する。ここでユーザーが電源スイッチを操作しても、電源３２がＯＮされることはない。このように構成することにより、メモリーカード１６がカードスロット１４に適正位置に装填されていない場合には電源がＯＮしないため、メモリーカードとコネクターとの接触不良に起因するデータ破壊などの誤作動を防止することができる。
【００２１】
なお、上記実施形態においては、カード装填蓋１２にカードスロット１４を設けるように構成されているが、図５に示すように、カードスロット４４を本体３に設けるように構成することもできる。この場合、メモリーカード１６をカードスロット４４の適正位置に装填し、カード装填蓋４２を閉じると、カード装填蓋４２の係止爪５４が開口５２を介して本体３内部で係止片５６と噛合することによりカード装填蓋１２がロックされ、同時にマイクロスイッチ２８をＯＮする。
【００２２】
この構成においては、カードスロット４４にメモリーカード１６が適正位置まで装填されていない状態でカード装填蓋４２を閉じようとすると、カード装填蓋４２がメモリーカード１６に引っかかり、閉じることができないようになっている。この構成の場合、カード装填蓋４２のどこか一点でもメモリーカード１６に引っかかるとカード装填蓋４２を閉じることができないため、メモリーカード１６がカードスロット４４に斜めに装填された場合でもカード装填蓋４２が閉じることはない。
【００２３】
なお、上記実施形態ではカード装填蓋のロック状態を検知する手段としてマイクロスイッチを用いているが、カード装填蓋のロック状態を検知できればどのような形態でもよく、他の接触センサを用いるようにしてもよいし、フォトセンサなどの非接触センサを用いるようにしてもよい。
【００２４】
なお、上記実施形態ではマイクロスイッチがＯＮしていないときには電源がＯＮしないように構成しているが、この構成の代わりに、マイクロスイッチがＯＮしていないときにはアクセス用回路をＯＦＦ状態とするように構成することもできる。このようにすれば電源がＯＮされてもメモリーカードへのデータ授受は行われることがなく、メモリーカードとコネクターとの接触不良に起因するデータ破壊などの誤作動を防止することができる。
【００２５】
なお、上記実施形態においては、本発明を実施した電子機器としてデジタルカメラを例に挙げて説明しているが、本発明はこれに限定されるものではなく、例えば、携帯電話、ノート型パーソナルコンピュータ、ＰＤＡなどの情報端末、携帯用音楽再生装置など、メモリーカードに対してデータを書き込み又は読み出しを行う電子機器であればよい。
【００２６】
【発明の効果】
以上説明したように、本発明の電子機器によれば、メモリーカードが適正位置までカードスロットに装填されていない場合、カード装填蓋と電子機器本体との間にメモリーカードが挟まれることにより、閉じることができなくなるように構成したカード装填蓋を備えたので、カードスロットにメモリーカードが傾いた状態で装填されている場合でもカード装填蓋が閉まることがなく、メモリーカードとコネクターとの接触不良に起因するデータ破壊などの不具合を防止することができる。
【図面の簡単な説明】
【図１】本発明を適用したデジタルカメラの外観を示す斜視図である。
【図２】カードスロットにメモリーカードが適正位置に装填されている状態を示す説明図である。
【図３】カードスロットにメモリーカードが適正位置まで装填されていない状態を示す説明図である。
【図４】本発明を実施したデジタルカメラの内部構成を示すブロック図である。
【図５】カード装填蓋構造の別の実施形態を示す説明図である。
【符号の説明】
２  デジタルカメラ
３  本体
１２  カード装填蓋
１４  カードスロット
１６  メモリーカード
２８  マイクロスイッチ
３０  ＣＰＵ
３２  電源
【図１】
2004199381.tif 000003
【図２】
2004199381.tif 000004
【図３】
2004199381.tif 000005
【図４】
2004199381.tif 000006
【図５】
2004199381.tif 000007